【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
モデルベースセグメンテーションのためのシステムであって、前記システムは、
医学的画像の視野内の患者の解剖学的構造の第１の部分を示す一方で前記医学的画像の視野外の前記解剖学的構造の第２の部分を示さない前記患者の医学的画像を表す画像データにアクセスするための画像インタフェースと、
前記解剖学的構造のタイプをセグメント化するためのモデルを規定するモデルデータを有するデータストレージと、
前記医学的画像の前記画像データに前記モデルを適用することによって前記医学的画像のモデルベースセグメンテーションを実行するためのセグメンテーションサブシステムと、
を有し、
前記モデルベースセグメンテーションは、
（ｉ）前記患者の前記医学的画像における前記解剖学的構造の前記第１の部分に対応する、前記患者に固有の第１のモデル部分と、
（ｉｉ）前記医学的画像の対応する部分に適合されていない前記解剖学的構造の前記第２の部分を表す第２のモデル部分と、
を持つ適合モデルを供給し、
前記セグメンテーションサブシステムは、前記適合モデルの更なる処理において前記第１のモデル部分が前記第２のモデル部分から区別されることを可能にするために、前記第１のモデル部分を識別するメタデータを生成する、システム。
【請求項２】
前記システムが、前記適合モデルのレンダリングを供給する出力画像を生成するためのディスプレイプロセッサを更に有し、前記ディスプレイプロセッサが、前記出力画像において前記第２のモデル部分から前記第１のモデル部分を区別してレンダリングするための前記メタデータに基づいて異なるレンダリング技術を選択する、請求項１に記載のシステム。
【請求項３】
前記ディスプレイプロセッサが、前記医学的画像又は前記患者の他の医学的画像である下層の医学的画像の上のオーバレイとして前記適合モデルをレンダリングする、請求項２に記載のシステム。
【請求項４】
前記モデルが、前記患者の超音波画像に適合され、前記ディスプレイプロセッサが、前記患者のＸ線画像の上のオーバレイとして前記適合モデルをレンダリングする、請求項３に記載のシステム。
【請求項５】
前記ディスプレイプロセッサが、前記出力画像において前記医学的画像の前記視野内の解剖学的構造を表す前記適合モデルの前記モデル部分と前記視野外の解剖学的構造を表す前記適合モデルの前記第二のモデル部分とを区別する、請求項２に記載のシステム。
【請求項６】
前記セグメンテーションサブシステムが、前記モデルを前記医学的画像の前記画像データに適用後、前記適合モデルを前記解剖学的構造の前記第２の部分を少なくとも示す、他の視野を有する第２の医学的画像の画像データに適用することにより、前記適合モデルを更に適合させるように更に構成され、前記適合モデルの前記第２のモデル部分が、前記第２の医学的画像における前記解剖学的構造の前記第２の部分に適合されている、請求項１に記載のシステム。
【請求項７】
前記セグメンテーションサブシステムが、第一及び第二のモデル部分にそれぞれ状態を割り当て、前記ディスプレイプロセッサが、前記出力画像において前記第一及び第二のモデル部分をレンダリングする場合に前記割り当てられた状態に基づいて異なるレンダリング技術を選択する
ように更に、構成される、請求項３に記載のシステム。
【請求項８】
前記第１のモデル部分が、前記医学的画像において部分的にのみ示されている前記解剖学的構造の解剖学的部分を表し、前記セグメンテーションサブシステムが、
前記医学的画像に前記第１のモデル部分を適合させるための局所変形を推定し、
前記局所変形の推定において、前記医学的画像に部分的にのみ示される前記解剖学的部分を説明する正則化表現を適用する、
ように更に構成される、請求項１に記載のシステム。
【請求項９】
前記正則化表現が、前記医学的画像に示される前記解剖学的部分が少ないほど、より強力な正則化を供給する、請求項８に記載のシステム。
【請求項１０】
前記正則化表現が、チホノフ正則化を供給する、請求項８に記載のシステム。
【請求項１１】
モデルベースセグメンテーションのためのシステムであって、前記システムは、
患者の解剖学的構造の第１の部分を示す一方で前記解剖学的構造の第２の部分を示さない前記患者の医学的画像を表す画像データにアクセスするための画像インタフェースと、
解剖学的構造の前記タイプをセグメント化するためのモデルを規定するモデルデータを有するデータストレージと、
前記医学的画像の前記画像データに前記モデルを適用することによって前記医学的画像のモデルベースセグメンテーションを実行するためのセグメンテーションサブシステムと、
を有し、
前記モデルベースセグメンテーションは、
（ｉ）前記患者の前記医学的画像における前記解剖学的構造の前記第１の部分に適合された第１のモデル部分と、
（ｉｉ）前記医学的画像の対応する部分に適合されていない前記解剖学的構造の前記第２の部分を表す第２のモデル部分と、
を持つ適合モデルを供給し、
前記セグメンテーションサブシステムは、前記適合モデルの更なる処理において前記第１のモデル部分が前記第２のモデル部分から区別されることを可能にするために、前記第１のモデル部分を識別するメタデータを生成するように構成され、
前記第１のモデル部分が前記患者の前記医学的画像における前記解剖学的構造の前記第１の部分に適合された後、又は、適合される間、前記セグメンテーションサブシステムが、前記モデルの前記第２のモデル部分に前記第１のモデル部分の形状を外挿することによって、前記モデルを前記解剖学的構造の前記第２の部分に適合させるように更に構成される、システム。
【請求項１２】
前記外挿を実行するステップが、前記第１のモデル部分及び前記第２のモデル部分の頂点及び／又はエッジ間に存在する関係に基づいて定義された内部エネルギー項を最小化するステップを有する、請求項１１に記載のシステム。
【請求項１３】
モデルベースセグメンテーションのための方法であって、
医学的画像の視野内の患者の解剖学的構造の第１の部分を示す一方で前記医学的画像の視野外の前記解剖学的構造の第２の部分を示さない前記患者の医学的画像を表す画像データにアクセスするステップと、
解剖学的構造のタイプをセグメント化するためのモデルを規定するモデルデータを供給するステップと、
前記医学的画像の前記画像データに前記モデルを適用することによって前記医学的画像のモデルベースセグメンテーションを実行するステップと、
を有し、
前記モデルベースセグメンテーションは、
（ｉ）前記患者の前記医学的画像における前記解剖学的構造の前記第１の部分に対応する、前記患者に固有の第１のモデル部分と、
（ｉｉ）前記医学的画像の対応する部分に適合されていない前記解剖学的構造の前記第２の部分を表す第２のモデル部分と、
を持つ適合モデルを供給し、
前記方法は、
前記適合モデルの更なる処理において前記第１のモデル部分が前記第２のモデル部分から区別されることを可能にするために、前記第１のモデル部分を識別するメタデータを生成するステップを更に有する、方法。
【請求項１４】
プロセッサシステムによって実行されるとき、前記プロセッサシステムに請求項１３に記載の方法のステップを実行させる命令を記憶する、非一時的コンピュータ読取り可能な媒体。
【請求項１５】
前記セグメンテーションサブシステムは、
前記それぞれのモデル部分が前記基礎となる医学的画像に適応されているか否か、
前記それぞれのモデル部分が前記基礎となる医学的画像に示される解剖学的構造を表すか否か、
前記それぞれのモデル部分が前記基礎となる医学的画像以外の、前記患者の他の医学的画像に適合されているか否か
のうちの少なくとも１つに基づいて前記状態を前記それぞれのモデル部分に割り当てるようにさらに構成される、請求項７に記載のシステム。